(57)【要約】【課題】縦横いずれの方向にも剛性を有し、保形性に優れ、持ちやすく、美粧性に優れたサイドガゼット袋を提供する。【解決手段】角筒状の中間部と、中間部の上方の天部と、中間部の下方の底部とを有し、柱シール部５を設けたサイドガゼット袋であって、柱シール部の中間部に内容物収納部とは別に縦長の縦独立充填室６を設け、更に、表フィルム１の中間部の上下と、裏フィルム２の中間部の上下に、横長の横独立充填室８を設け、縦独立充填室と横独立充填室を膨らませた。また、横独立充填室は、表フィルム、及び、裏フィルムを外側に突き出し、その突き出された根元をシールすることによって設けられている。【選択図】図１
2014227211.tif 000002
【特許請求の範囲】
【請求項１】
角筒状の中間部と、該中間部の上方の天部と、該中間部の下方の底部とを有し、柱シール部を設けたサイドガゼット袋であって、前記柱シール部の中間部に内容物収納部とは別に縦長の縦独立充填室を設け、更に、表フィルムの前記中間部の上下と、裏フィルムの前記中間部の上下に、横長の横独立充填室を設け、前記縦独立充填室と前記横独立充填室を膨らませたことを特徴とするサイドガゼット袋。
【請求項２】
前記横独立充填室は、前記表フィルム、及び、前記裏フィルムを外側に突き出し、その突き出された根元をシールすることによって設けられていることを特徴とする請求項１に記載のサイドガゼット袋。
【発明の詳細な説明】
【技術分野】
【０００１】
本発明は、サイドガゼット袋に関するものである。
【背景技術】
【０００２】
従来から、サイドガゼット袋は、四方シール袋や三方シール袋などの平袋と比較して容量を大きくすることができるので、広く用いられている。また、表フィルムとガゼット部の接続部と、裏フィルムとガゼット部の接続部の４箇所をシールして柱シール部を設けたサイドガゼット袋も横断面が四角形になり、見た目の良さや、安定感から茶葉やコーヒー豆の包装などに用いられている。
【０００３】
柱シール部を設けたサイドガゼット袋であっても、表フィルムと裏フィルムの左右中央からの縦断面を見ると、保形性が無く、必ずしも安定感を得られず、見た目は十分に良好ではなかった。
【０００４】
また、柱シール部に独立充填室を設け、独立充填室を膨らませたガゼット袋がある。このサイドガゼット袋３００は、図５のように、角状の袋本体の上端中央位置に口栓１１が突設され、袋本体の内容物収容部が表フィルム１と裏フィルムと左側ガゼットフィルムと右側ガゼットフィルム４とから形成され、この内容物収容部の胴部の四隅に縦独立充填室６の付いた柱シール部５を形成し、内容物を内容物収納部に充填するまえに、縦独立充填室６に気体又は液体を封入して自立性を付与させた自立性軟包装袋である（特許文献１）。
【先行技術文献】
【特許文献】
【０００５】
【特許文献１】特開２００６−２４０６５１号公報
【発明の概要】
【発明が解決しようとする課題】
【０００６】
この自立性軟包装袋でも、上下方向では保形性が無く、必ずしも安定感が得られず、押された時に変形して持ちにくく、また見栄えも悪く、店頭陳列時の美粧性は十分ではなかった。
【０００７】
本発明は上記した事情に鑑みてなされたもので、縦横いずれの方向にも剛性を有し、保形性に優れ、持ちやすく、美粧性に優れたサイドガゼット袋を提供することを課題とする。
【課題を解決するための手段】
【０００８】
本発明の請求項１に係る発明は、角筒状の中間部と、該中間部の上方の天部と、該中間部の下方の底部とを有し、柱シール部を設けたサイドガゼット袋であって、前記柱シール部の中間部に内容物収納部とは別に縦長の縦独立充填室を設け、更に、表フィルムの前記中間部の上下と、裏フィルムの前記中間部の上下に、横長の横独立充填室を設け、前記縦独立充填室と前記横独立充填室を膨らませたことを特徴とするサイドガゼット袋である。
【０００９】
本発明の請求項２に係る発明は、前記横独立充填室は、前記表フィルム、及び、前記裏フィルムを外側に突き出し、その突き出された根元をシールすることによって設けられていることを特徴とする請求項１に記載のサイドガゼット袋である。
【発明の効果】
【００１０】
本発明のサイドガゼット袋は、縦横いずれの方向にも剛性を有し、保形性に優れ、持ちやすく、美粧性に優れている。
【図面の簡単な説明】
【００１１】
【図１】本発明のサイドガゼット袋の一例を模式的に斜視で示した説明図である。
【図２】本発明のサイドガゼット袋の一例を模式的に縦断面で示した説明図である。
【図３】本発明のサイドガゼット袋の他の例を模式的に縦断面で示した説明図である。
【図４】本発明のサイドガゼット袋の一例で、横独立充填室を設ける方法を模式的に断面で示した説明図である。
【図５】従来のサイドガゼット袋の一例を模式的に斜視で示した説明図である。
【発明を実施するための形態】
【００１２】
以下、本発明を実施するための形態につき説明する。
【００１３】
図１は、本発明のサイドガゼット袋の一例を模式的に斜視で示した説明図である。図２は、本発明のサイドガゼット袋の一例を模式的に縦断面で示した説明図である。
【００１４】
本例のサイドガゼット袋１００は、図１のように、表フィルム１と裏フィルム２と左側ガゼットフィルム３と右側ガゼットフィルム４とから形成され、角筒状の中間部と、中間部の上方の天部と、中間部の下方の底部とを有し、その囲まれた内側に内容物収納部が形成されている。
【００１５】
表フィルム１と左側ガゼットフィルム３の接続部、表フィルム１と右側ガゼットフィルム４の接続部、右側ガゼットフィルム４と裏フィルム２の接続部、裏フィルム２と左側ガゼットフィルム３の接続部には、柱シール部５を設けて、柱シール部５の中間部には未シール部を縦に細長く設けて、縦独立充填室６を形成させている。
【００１６】
表フィルム１の中間部の上と下に、裏フィルム２の横方向の中間部の上と下には、外方に突き出て折り返された、折返しシール部７が設けられていて、折り返しシール部７にはその先端側に未シール部を細長く横長に設けて、横独立充填室８が設けられている。
【００１７】
この折返しシール部の根元で表フィルム１と裏フィルム２は傾斜して、上端で半分に折られた左側ガゼットフィルム３と右側ガゼットフィルム４を間に挟んで、表フィルム１と裏フィルム２はシールされ天シール部９が形成され、また、下端でも半分に折られた左側ガゼットフィルム３と右側ガゼットフィルム４を間に挟んで、表フィルム１と裏フィルム２はシールされ地シール部１０が形成されている。
【００１８】
図２は、本例のサイドガゼット袋の表フィルム１と裏フィルム２の左右中央からの縦断面である。
【００１９】
表フィルム１と裏フィルム２に設けられた折り返しシール部７が外側に突き出ていて、折り返しシール部７は横独立充填室８に充填された充填物により膨らんでいる。また、縦独立充填室６も充填物により膨らんでいるので、本例のガゼット袋は、膨らんだ縦独立充填室６、及び、横独立充填室８により、縦横いずれの方向にも剛性があって、保形性に優れ、持ちやすく、美粧性に優れている。
【００２０】
横独立充填室８や縦独立充填室６を膨らませる充填物には、空気や窒素ガスなどの気体が使用できる。また、水や油などの液体を使用することができる。更には、これらと共に無機粉末や発泡樹脂などの固体を充填することもできる。
【００２１】
表フィルム１と裏フィルム２と左側ガゼットフィルム３と右側ガゼットフィルム４は、外側の基材層と内側のシーラント層の積層フィルムからなっている。また、基材層とシーラント層の間にバリア層を設けることもできる。また、その他の中間層を設けることもできる。
【００２２】
基材層としては、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などの延伸あるいは無延伸のフィルムを使用することができる。
【００２３】
シーラント層には、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、エチレン−プロピレン共重合体（ＥＰ）、エチレン−αオレフィン共重合体、エチレン−アクリル酸共重合体（ＥＡＡ）、エチレン−メタクリル酸共重合体（ＥＭＡＡ）、エチレン−メタクリル酸エステル共重合体、エチレン−アクリル酸エステル共重合体、アイオノマー樹脂、エチレン−酢酸ビニル共重合体（ＥＶＡ）などの樹脂、またはこれらの樹脂を成膜化したフィルムを使用することができる。
【００２４】
また、シーラント層の厚みは、強度、加工性を考慮すると、１５〜１５０μｍの範囲内であることが好ましく、３０〜１００μｍの範囲内がより好ましい。
【００２５】
バリア層には、アルミニウム箔などの金属箔や、アルミニウムなどの金属蒸着層、あるいは、酸化アルミニウム、酸化珪素、酸化錫、酸化マグネシウム、などの無機酸化物蒸着層を設けることができる。
【００２６】
その他の中間層には、基材層として挙げた延伸あるいは無延伸のフィルムの中から選択して使用することができる。これらの層を積層する方法としては、特に限定されない。通常用いられる、ドライラミネーションや押出しラミネーション（サンドイッチラミネーションを含む）により積層することができる。
【００２７】
また、印刷層を積層フィルムのおもて面に、あるいは、前述の層と層の間に設けることができる。印刷方式も特に限定されることはなく、グラビア印刷やフレキソ印刷、あるいは、シルク印刷やインキジェット印刷などで行うことができる。
【００２８】
図３は、本発明のサイドガゼット袋の他の例を模式的に縦断面で示した説明図である。
【００２９】
表フィルム１と裏フィルム２の上端部分、及び、下端部分を平坦になるように、折り返しシール部７の根元で折り曲げ、更に、天シール部と地シール部を倒すと、図３のような長方体形状のサイドガゼット袋２００になる。
【００３０】
このように長方体形状のサイドガゼット袋２００にすると、商品展示棚などに置いたときに、下側の前後の横独立充填室８が膨らんだ折り返しシール部７でサイドガゼット袋２００が支えられて、安定して置くことができる。また、積み重ねるときも、安定して積み重ねることができる。
【００３１】
次に、本例のサイドガゼット袋１００の製造方法について説明する。
図４は、本発明のサイドガゼット袋の一例で、横独立充填室を設ける方法を模式的に断面で示した説明図である。
【００３２】
まず、図４（Ａ）のように、表フィルム１を、外側に突き出し、その突き出された根元を図４（Ｂ）のようにシールする。これによって、折返しシール部７と、その折返しシール部７内に横独立充填室８を設ける。
【００３３】
そして、図４（Ｃ）のように、サイドガゼット袋１００の上側の折返しシール部７を上に向くように倒す。また下側の折返しシール部７を下に向くように倒す。同様にして、裏フィルム１にも折返しシール部７と横独立充填室８を設け、更に同様に、折返しシール部７を倒す。
【００３４】
折返しシール部７を設けた表フィルム１と裏フィルム２を、その折返しシール部７が外側になるように対向させ、その間に二つに折った左側ガゼットフィルム３と右側ガゼットフィルム４をそれぞれ、表フィルム１と裏フィルム２の左右両端になる位置に、折り山が内側になるように差し込む。
【００３５】
縦独立充填室６に当たる位置に未シール部が設けられているシールバーで、表フィルム１と左側ガゼットフィルム３の接続部、表フィルム１と右側ガゼットフィルム４の接続部、右側ガゼットフィルム４と裏フィルム２の接続部、裏フィルム２と左側ガゼットフィルム３の接続部をシールして、柱シール部５とその中に縦独立充填室６を設ける。
【００３６】
そして、地シール部１０、あるいは、天シール部９をシールして設け、天シール部９、あるいは、地シール部１０のいずれか一方が開口しているサイドガゼット袋１００を作成する。
【００３７】
次に、縦独立充填室６と横独立充填室８に、図示されていない充填口より、気体や液体、あるいは、これらと共に無機粉末や発泡樹脂などの固体を充填して膨らませ、充填口をシールするなどして塞ぎ、縦独立充填室６と横独立充填室８を膨らませる。尚、充填口は、縦独立充填室６、あるいは、横独立充填室８と外部とを連通させる切れ込みや、開口孔で設けておく。
【００３８】
このようにしたサイドガゼット袋１００の内容物収納部に内容物を充填して、開口している天シール部９、あるいは、地シール部１０をシールして充填済みのサイドガゼット袋１００を作成する。
【００３９】
以上のようにして、製造されたサイドガゼット袋１００は、膨らんだ縦独立充填室６、及び、横独立充填室８により、縦横いずれの方向にも剛性があって、保形性に優れ、持ちやすく、美粧性に優れている。
【００４０】
また、サイドガゼット袋２００の製造方法も同様で、長方体形状のサイドガゼット袋２００にすると、商品展示棚などに置いたときに、下側の前後の横独立充填室８が膨らんだ折り返しシール部７でサイドガゼット袋２００が支えられて、安定して置くことができる。また、積み重ねるときも、安定して積み重ねることができる。
【実施例】
【００４１】
以下に、本発明の具体的実施例について説明する。
【００４２】
＜実施例１＞
基材層の延伸ポリエチレンテレフタレートフィルム１２μｍとバリア層のアルミニウム箔９μｍとシーラント層の未延伸低密度ポリエチレンフィルムをドライラミネーションによって、この順に積層した積層フィルムを、表フィルム１、裏フィルム２、左側ガゼットフィルム３、右側ガゼットフィルム４に用い。
【００４３】
また、内容物としては、コーヒー粉末を用い、前述のサイドガゼット袋の製造方法と同様にして、図１、図２のようなサイドガゼット袋を作成し、内容物充填済みの実施例１のサイドガゼット袋を得た。
【００４４】
以下に、本発明の比較例について説明する。
【００４５】
＜比較例１＞
柱シール部に縦独立充填室６を設けず、未シール部の無い全面シール部とし、また、折返しシール部７も横独立充填室８も設けない以外は、実施例１と同様にして、内容物充填済みの実施例２のサイドガゼット袋を得た。
【００４６】
＜試験方法＞
コーヒー粉末を充填済みの実施例１と比較例１のサイドガゼット袋について、その持ちやすさと美粧性を比較評価した。その結果を表１に示す。
【００４７】
【表１】
2014227211.tif 000003
以下に、実施例と比較例との比較結果について説明する。
【００４８】
＜比較結果＞
実施例１の本発明のサイドガゼット袋は、持ちやすさ、美粧性共に良好であり、持ちやすく見栄えが良好であった。一方、比較例１のサイドガゼット袋は、袋に腰が無く、持ちにくく、見栄えが悪かった。
【符号の説明】
【００４９】
１００、２００、３００・・・サイドガゼット袋
１・・・表フィルム
２・・・裏フィルム
３・・・左側ガゼットフィルム
４・・・右側ガゼットフィルム
５・・・柱シール部
６・・・縦独立充填室
７・・・折返しシール部
８・・・横独立充填室
９・・・天シール部
１０・・・地シール部
１１・・・口栓
【図１】
2014227211.tif 000004
【図２】
2014227211.tif 000005
【図３】
2014227211.tif 000006
【図４】
2014227211.tif 000007
【図５】
2014227211.tif 000008